(57)【要約】  携帯型電子機器は、防水領域を備える本体部と、上記防水領域を覆う蓋部と、を有する。上記蓋部と上記本体部とのうち一方は、他方の同一面上に形成された接触面に対して上記防水領域の周方向の全周に亘って接触し上記防水領域を封止する封止部材と、この封止部材の位置を規定する規定部と、を備える。
2012169068.tif 000002
【特許請求の範囲】
【請求項１】
防水領域を備える本体部と、前記防水領域を覆う蓋部と、を有する携帯型電子機器であって、
前記蓋部と前記本体部とのうち一方は、他方の同一面上に形成された接触面に対して前記防水領域の周方向の全周に亘って接触し該防水領域を封止する封止部材と、該封止部材の位置を規定する規定部と、を備える、
ことを特徴とする携帯型電子機器。
【請求項２】
前記蓋部は、前記封止部材と前記規定部とを備えることを特徴とする請求項１に記載の携帯型電子機器。
【請求項３】
前記蓋部は、前記本体部に係合する爪部を更に備え、
前記規定部は、前記爪部と一体に設けられている、
ことを特徴とする請求項２に記載の携帯型電子機器。
【請求項４】
前記規定部と前記爪部とは、４辺のうちの１辺が開口する断面矩形状に前記蓋部から突出する凸部に一体に設けられ、
前記規定部は、前記凸部の開口側の端部において前記封止部材の位置を規定し、
前記爪部は、前記開口側の端部とは反対側の閉口側の端部に設けられている、
ことを特徴とする請求項３に記載の携帯型電子機器。
【請求項５】
前記蓋部は、前記本体部に係合する２つの爪部と、該２つの爪部と一体に設けられ該２つの爪部を連結する連結部と、を更に備え、
前記規定部は、前記２つの爪部および前記連結部と一体に設けられている、
ことを特徴とする請求項２に記載の携帯型電子機器。
【請求項６】
前記規定部は、前記蓋部の周囲において立設された壁面から突出するように該壁面と一体に設けられていることを特徴とする請求項２に記載の携帯型電子機器。
【請求項７】
前記規定部は、４辺のうちの１辺が開口する断面矩形状の開口側の端部が前記壁面に対向するように該壁面から突出し、前記開口側の端部とは反対側の閉口側の端部において前記封止部材の位置を規定することを特徴とする請求項６に記載の携帯型電子機器。
【請求項８】
前記規定部は、断面Ｈ字形状の一方の開口側の端部が前記壁面に対向するように該壁面から突出し、他方の開口側の端部において前記封止部材の位置を規定することを特徴とする請求項６に記載の携帯型電子機器。
【請求項９】
前記規定部は、前記蓋部の周囲において立設する壁面であることを特徴とする請求項２に記載の携帯型電子機器。
【請求項１０】
前記蓋部は、表面に前記封止部材が形成された樹脂シートを更に備えることを特徴とする請求項２に記載の携帯型電子機器。
【請求項１１】
前記規定部は、前記樹脂シートに当接することで、前記封止部材の位置を規定することを特徴とする請求項１０に記載の携帯型電子機器。
【請求項１２】
前記樹脂シートは、前記防水領域の周方向の全周に亘って形成された枠形状を呈し、
前記蓋部は、枠形状の前記樹脂シートの内周面に当接する複数の前記規定部を備える、ことを特徴とする請求項１１に記載の携帯型電子機器。
【請求項１３】
前記蓋部は、前記樹脂シートの外周面に当接する複数の前記規定部を更に備えることを特徴とする請求項１２に記載の携帯型電子機器。
【請求項１４】
前記防水領域は、電池収納部であることを特徴とする、請求項１に記載の携帯型電子機器。
【請求項１５】
携帯型電子機器の本体部の防水領域を覆う蓋部である防水カバーであって、
前記本体部の前記防水領域の周囲の同一面上に形成された接触面に対して前記防水領域の周方向の全周に亘って接触し、該防水領域を封止する封止部材と、
前記封止部材の位置を規定する規定部と、
を有することを特徴とする防水カバー。
【発明の詳細な説明】
【技術分野】
【０００１】
本明細書で論じる実施態様は、携帯型電子機器と、この携帯型電子機器に用いられる防水カバーとに関する。
【背景技術】
【０００２】
従来、携帯電話機等の携帯型電子機器において、防水領域を封止する封止部材が用いられている。この封止部材として、携帯型電子機器の幅方向の両側からつぶされる止水パッキンが知られている。
また、止水パッキンの変形を防止する変形防止リブが知られている。
【先行技術文献】
【特許文献】
【０００３】
【特許文献１】特開２０１０−２６８２８２号公報
【発明の概要】
【発明が解決しようとする課題】
【０００４】
上記のような携帯型電子機器の幅方向の両側からつぶされる止水パッキンを有する防水カバーは、止水パッキンが押圧されるのに耐えうる壁面の厚みが必要になり、幅方向の寸法が大きくなる。【０００５】
更には、このような防水カバーは、止水パッキンの４つ角での曲げＲを確保するための空間も必要となる。【０００６】
また、防水領域が例えば電池収納部である場合には、昨今の電池容量増加による電子機器の例えば幅方向の寸法拡大と、電子機器の取り扱いやすさのために電子機器の寸法を維持することとの両立が難しくなっている。【０００７】
なお、携帯型電子機器の小型化の観点では、止水パッキンが配置されるスペースも限られる。そのため、止水パッキンに位置ズレが生じると、止水性能を確保できなくなってしまう。【０００８】
本明細書で開示する携帯型電子機器および防水カバーは、携帯型電子機器の小型化を図ることができると共に止水性能を確保することができるようにする。
【課題を解決するための手段】
【０００９】
本明細書で開示する携帯型電子機器は、防水領域を備える本体部と、上記防水領域を覆う蓋部と、を有する。上記蓋部と上記本体部とのうち一方は、他方の同一面上に形成された接触面に対して上記防水領域の周方向の全周に亘って接触し上記防水領域を封止する封止部材と、この封止部材の位置を規定する規定部と、を備える。【００１０】
本明細書で開示する防水カバーは、携帯型電子機器の本体部の防水領域を覆う蓋部である。上記防水カバーは、上記本体部の上記防水領域の周囲の同一面上に形成された接触面に対して上記防水領域の周方向の全周に亘って接触し、この防水領域を封止する封止部材と、この封止部材の位置を規定する規定部と、を有する。
【発明の効果】
【００１１】
本明細書で開示する携帯型電子機器および防水カバーによれば、携帯型電子機器の小型化を図ることができると共に止水性能を確保することができる。
【図面の簡単な説明】
【００１２】
【図１】携帯電話機を示す分解斜視図である。
【図２】蓋部を内側から見た斜視図である。
【図３】矩形状の樹脂シートを示す斜視図である。
【図４】枠形状の樹脂シートを示す斜視図である。
【図５】樹脂シートを取り外した状態の蓋部を示す斜視図である。
【図６】壁面一体型規定部の変形例を示す斜視図（その１）である。
【図７】壁面一体型規定部の変形例を示す斜視図（その２）である。
【図８】図５のＡ部拡大図である。
【図９】爪部一体型規定部の変形例を示す斜視図（その１）である。
【図１０】爪部一体型規定部の変形例を示す斜視図（その２）である。
【図１１】蓋部の装着方法を示す斜視図である。
【図１２】蓋部の装着方法の変形例を示す斜視図である。
【図１３】携帯電話機を示す斜視図である。
【図１４】図１３のＢ−Ｂ断面図である。
【図１５】図１３のＣ−Ｃ断面図である。
【図１６】図１５のＤ部拡大図である。
【図１７】左壁面が規定部である蓋部を示す斜視図である。
【図１８】枠形状の樹脂シートの内周面に当接する規定部を示す斜視図である。
【図１９】枠形状の樹脂シートの内周面および外周面に当接する規定部を示す斜視図である。
【発明を実施するための形態】
【００１３】
以下、実施の形態に係る、携帯型電子機器および防水カバーについて、図面を参照しながら説明する。
【００１４】
図１は、携帯電話機１を示す分解斜視図である。
図２は、蓋部２０を内側から見た斜視図である。
【００１５】
図３は、矩形状の樹脂シート２２を示す斜視図である。
図１に示す携帯電話機１は、本体部１０と、防水カバーである蓋部２０と、を有する。携帯電話機１は、携帯型電子機器の一例である。
【００１６】
蓋部２０は、本体部１０の電池収納部１１を覆うように配置されている。電池収納部１１には、電池３０が配置される。電池収納部１１は、防水領域の一例である。
【００１７】
本体部１０には、電池収納部１１の周囲において平面部１２が形成されている。この平面部１２は、同一平面上で、且つ、電池収納部１１の周方向に連続して形成されている。平面部１２は、同一面上に形成され、蓋部２０の封止部材２３に接触する接触面の一例である。
【００１８】
封止部材２３が平面部１２に接触して押圧された状態のままスライドすることで蓋部２０が携帯電話機１に装着される場合、平面部１２は、封止部材２３がスライドしても封止部材２３との接触を維持できる大きさに形成されている。
【００１９】
図１〜図３に示すように、蓋部２０は、カバー本体２１と、樹脂シート２２と、封止部材２３と、爪部一体型規定部２４と、壁面一体型規定部２５と、を備える。
【００２０】
カバー本体２１は、携帯型電話機１の本体部１０と同一幅の略矩形状を呈し、本体部１０の背面（携帯電話機１の背面）のうち底面側の表面を形成する。また、図２に示すように、カバー本体２１の周囲には、左壁面２１ａ、右壁面２１ｂ、および底壁面２１ｃが立設されている。これら左壁面２１ａ、右壁面２１ｂ、および底壁面２１ｃは、本体部１０の左右の側面の一部および底面の一部を形成する。
【００２１】
樹脂シート２２は、矩形の薄板形状を呈し、カバー本体２１の内側に例えば両面テープを介して接合されている。樹脂シート２２は、例えば、ポリエチレンテレフタレート、ポリカーボネート、又はポリイミドからなり、可撓性を有する。
【００２２】
樹脂シート２２の表面（蓋部２０の内側の面）の周縁端部には、電池収納部１１の周方向の全周に亘って、封止部材２３が設けられている。
【００２３】
なお、図４に示すように、樹脂シート２２は、電池収納部１１の周方向の全周に亘って形成された枠形状を呈する樹脂シート２２−１であってもよい。この樹脂シート２２−１は、内周面２２−１ａも矩形状である。
【００２４】
封止部材２３は、本体部１０の平面部１２に対して電池収納部１１の周方向の全周に亘って接触し電池収納部１１を封止する。
【００２５】
図１４〜図１６に示すように、封止部材２３は、電池収納部１１の周方向の全周に亘って設けられた封止ベース部２３ａおよび突出部２３ｂを含む。突出部２３ｂは、封止ベース部２３ａから突出し平面部１２に接触する。この突出部２３ｂは、電池収納部１１の周方向に直交する断面の断面形状が半円形状または半楕円形状である。なお、図１４〜図１６の断面では、図１３の携帯電話機１のヒンジ部で結合された前面側と背面側とのうち背面側のみ示されている。
【００２６】
封止部材２３は、少なくとも、平面部１２と接触する突出部２３ｂに、低摩擦コーティングを施されているようにするとよい。
【００２７】
図２、図５、および図８に示すように、爪部一体型規定部２４は、本体部１０に係合する２つの爪部２４ａ，２４ｂと、これら２つの爪部２４ａ，２４ｂと一体に設けられこれら２つの爪部２４ａ，２４ｂを連結する連結部２４ｃとを含む。
【００２８】
このように、爪部一体型規定部２４は、２つの爪部２４ａ，２４ｂおよび連結部２４ｃと一体に設けられている。また、爪部一体型規定部２４は、爪部２４ａ，２４ｂとは反対側の規定面２４ｄにおいて、樹脂シート２２に当接することで、封止部材２３の位置を規定する。
【００２９】
図２および図５に示すように、壁面一体型規定部２５は、左壁面２１ａから突出するように左壁面２１ａと一体に３つ設けられている。なお、壁面一体型規定部２５が突出する壁面は、左壁面２１ａ以外の壁面（右壁面２１ｂ、底壁面２１ｃ等）であってもよく、また、複数の壁面から壁面一体型規定部が突出するようにしてもよい。
【００３０】
壁面一体型規定部２５は、４辺のうちの１辺が開口する断面矩形状の開口側の端部２５ａが左壁面２１ａに対向するように左壁面２１ａから突出する。また、壁面一体型規定部２５は、開口側の端部２５ａとは反対側の閉口側の端部２５ｂにおいて樹脂シート２２に当接することで封止部材２３の位置を規定する。
【００３１】
図６に示すように、壁面一体型規定部２５は、断面Ｈ字形状の一方の開口側の端部２５−１ａが左壁面２１ａに対向するように左壁面２１ａから突出する壁面一体型規定部２５−１であってもよい。この壁面一体型規定部２５−１は、他方の開口側の端部２５−１ｂにおいて樹脂シート２２に当接することで封止部材２３の位置を規定する。
【００３２】
図７に示すように、壁面一体型規定部２５は、直方体であり、一方の端部２５−２ａが左壁面２１ａに対向するように左壁面２１ａから突出する壁面一体型規定部２５−２であってもよい。この壁面一体型規定部２５−２は、他方の端部２５−２ｂにおいて樹脂シート２２に当接することで封止部材２３の位置を規定する。
【００３３】
また、壁面一体型規定部２５−２は、２つ１組で１組以上配置されても、単一の壁面一体型規定部２５−２が１つ以上配置されるようにしてもよい。
【００３４】
図９に示すように、爪部一体型規定部２４は、連結部２４−１ｃで連結された２つの爪部２４−１ａ（一方のみ図示）のそれぞれ（凸部）が、４辺のうちの１辺が開口する断面矩形状にカバー本体２１から突出する爪部一体型規定部２４−１であってもよい。この爪部一体型規定部２４−１は、開口部２４−１ｅ側の端部２４−１ｄにおいて樹脂シート２３に当接することで封止部材２３の位置を規定する。
【００３５】
図１０に示すように、爪部一体型規定部２４は、連結部で連結されていない各凸部に爪部２４−２ａ（一方のみ図示）と規定面２４ｄとが一体に設けられた爪部一体型規定部２４−２であってもよい。爪部一体型規定部２４−２は、４辺のうちの１辺が開口する断面矩形状にカバー本体２１から突出し、開口部２４−２ｅ側の端部２４−２ｄにおいて樹脂シート２３に当接することで封止部材２３の位置を規定する。
【００３６】
図１１に示すように、蓋部２０は、封止部材２３が平面部１２に接触して押圧された状態のままスライドし（スライド方向Ｄ１）、爪部２４ａ，２４ｂが本体部１０に係合することで携帯電話機１に装着される。
【００３７】
但し、図１２に示すように、蓋部２０は、スライドせず、本体部１０にはめ込まれて（はめ込み方向Ｄ２）、携帯電話機１に装着される蓋部２０−１であってもよい。
【００３８】
なお、封止部材２３の位置を規定する規定部として、カバー本体２１の壁面、例えば、図１７に示す左壁面２１ａおよび右壁面２１ｂが、樹脂シート２２に当接することで封止部材２３の位置を規定するようにしてもよい。
【００３９】
また、図４に示す上述の枠形状の樹脂シート２２−１を用いる場合、図１８に示すように、枠形状の樹脂シート２２−１の内周面２２−１ａに当接する複数の規定部２６が蓋部２０に配置されるようにしてもよい。図１８の例では、蓋部２０の左右のそれぞれに４つ、前後のそれぞれに２つ、規定部２６が配置されている。
【００４０】
また、図１９に示すように、枠形状の樹脂シート２２−１の内周面２２−１ａに当接する複数の規定部２６と、外周面２２−１ｂに当接する複数の規定部２７とが蓋部２０に配置されるようにしてもよい。図１９の例では、蓋部２０の前後左右のそれぞれに２つ規定部２６が配置されている。
【００４１】
なお、図２の３つの壁面一体型規定部２５のうち背面側の壁面一体型規定部２５のように、規定部２６が封止部材２３の角部近傍（図１０のスライド方向Ｄ１の前端の近傍または後端の近傍）に配置されることで、封止部材２３の位置をより確実に規定することができる。
【００４２】
また、本実施の形態では、封止部材２３を蓋部２０（樹脂シート２２）側に配置する例について説明したが、封止部材２３を携帯電話機１側に配置し、平面部（接触面）１２を蓋部２０側に設けるようにしてもよい。
【００４３】
また、本実施の形態では、爪部一体型規定部２４が前端側の爪部２４ａ，２４ｂと一体である例について説明したが、蓋部２０の左右あるいは後端に配置される爪部と規定部とを一体に設けるようにしてもよい。
【００４４】
また、本実施の形態では、規定部の一例として、爪部一体型規定部２４および壁面一体型規定部２５の両方を配置する例について説明したが、一方のみを配置するようにしても、両方とも配置しないようにしてもよい。好ましくは、樹脂シート２２の２辺に当接するなど、封止部材２２を２方向から位置決めできるようにするとよい。
【００４５】
また、本実施の形態では、封止部材２３に接触する接触面の一例として、同一平面上に形成された平面部１２を例に説明したが、接触面としては、平面であることが望ましくはあるが、完全に平面でなくともよく、例えば曲面とすることも可能である。
【００４６】
また、本実施の形態では、電池収納部１１を防水領域の一例として説明したが、電池収納部１１以外の防水領域に蓋部２０を設けることも可能である。
【００４７】
以上説明した本実施の形態では、蓋部２０は、封止部材２３と、規定部２４〜２７と、を備える。封止部材２３は、本体部１０の同一面上に形成された平面部（接触面）１２に対して電池収納領域（防水領域）１１の周方向の全周に亘って接触し、電池収納領域１１を封止する。規定部２４〜２７は、封止部材２３の位置を規定する。
【００４８】
そのため、封止部材２３を例えば携帯電話機１の幅方向に押圧する場合に生ずる携帯電話機１の壁面等の幅方向寸法の増加を防ぐことができるなど、携帯電話機１の小型化を図ることができる。更には、規定部２４〜２７が、限られたスペースに配置される封止部材２３の位置を規定するため、封止部材２３の配置時の位置ズレ、変形等を防ぎ、止水性能を確保することができる。
【００４９】
よって、本実施の形態によれば、携帯型電子機器１の小型化を図ることができると共に止水性能を確保することができる。
【００５０】
また、本実施の形態では、封止部材２３と規定部２４〜２７とは、本体部１０側ではなく蓋部２０側に配置されている。そのため、封止部材２３を携帯電話機１に配置しやすくすること、止水性能の向上を図ること、および、消耗部品である封止部材２３の交換を容易にすることが可能となる。
【００５１】
また、本実施の形態では、蓋部２０は、本体部１０に係合する爪部２４ａ，２４ｂを備え、規定面２４ｄ（爪部一体型規定部２４）は、爪部２４ａ，２４ｂと一体に設けられている。そのため、簡素な構成で封止部材２３の位置を規定することができ、携帯型電子機器１のより一層の小型化を図ることができる。
【００５２】
また、本実施の形態では、図９および図１０に示すように、爪部一体型規定部２４−１，２４−２（規定面２４−１ｄ，２４−２ｄ）と爪部２４−１ａ，２４−２ａとは、４辺のうちの１辺が開口する断面矩形状に蓋部２０から突出する凸部に一体に設けられている。また、規定部２４−１，２４−２（規定面２４−１ｄ，２４−２ｄ）は、凸部の開口部２４−１ｅ，２４−２ｅ側の端部４−１ｄ，２４−２ｄにおいて封止部材２３の位置を規定する。更には、爪部２４−１ａ，２４−２ａは、開口側の端部２４−１ｄ，２４−２ｄとは反対側の閉口側の端部に設けられている。そのため、簡素な構成で封止部材２３の位置をより正確に規定することができる。
【００５３】
また、本実施の形態では、蓋部２０は、本体部１０に係合する２つの爪部２４ａ，２４ｂと、これら２つの爪部２４ａ，２４ｂと一体に設けられこれら２つの爪部２４ａ，２４ｂを連結する連結部２４ｃと、を備える。また、爪部一体型規定部２４（規定面２４ｄ）は、２つの爪部２４ａ，２４ｂおよび連結部２４ｃと一体に設けられている。そのため、簡素な構成で封止部材２３の位置をより正確に規定することができる。
【００５４】
また、本実施の形態では、壁面一体型規定部２５は、蓋部２０の周囲において立設された左壁面（壁面）２１ａから突出するように左壁面２１ａと一体に設けられている。そのため、簡素な構成にすることができ、携帯型電子機器１のより一層の小型化を図ることができる。
【００５５】
また、本実施の形態では、図２および図５に示すように、壁面一体型規定部２５は、４辺のうちの１辺が開口する断面矩形状の開口側の端部２５ａが左壁面（壁面）２１ａに対向するように左壁面２１ａから突出する。また、壁面一体型規定部２５は、開口側の端部２５ａとは反対側の閉口側の端部２５ｂにおいて封止部材２３の位置を規定する。そのため、閉口部側を壁面に向けた場合に成形時に壁面に生じるヒケを抑えながら、封止部材２３の位置を規定することができる。
【００５６】
また、本実施の形態では、図６に示すように、壁面一体型規定部２５−１は、断面Ｈ字形状の一方の開口側の端部２５−１ａが左壁面（壁面）２１ａに対向するように左壁面２１ａから突出し、他方の開口側の端部２５−１ｂにおいて封止部材２３の位置を規定する。そのため、壁面に生じるヒケを抑えながら、封止部材２３の位置をより正確に規定することができる。
【００５７】
また、図１７に示すように、蓋部２０の周囲において立設する左壁面（壁面）２１ａが規定部となる場合、簡素な構成で封止部材２３の位置を規定することができる。
【００５８】
また、本実施の形態では、蓋部２０は、表面に封止部材２３が形成された樹脂シート２２を備える。そのため、封止部材２３を簡単かつ確実に配置することができる。更には、金属の板と比較して、軽量化を図ることができると共に電池３０の充電を行うための電波等が遮られるのを抑えることができる。また、カバー本体２１と樹脂シート２２とが別体で二重蓋構造となっている場合に比べ、蓋部２０の着脱操作を容易にすることもできる。
【００５９】
また、本実施の形態では、規定部２０は、樹脂シート２２に当接することで、封止部材２３の位置を規定する。そのため、封止部材２３の位置をより正確に規定することができる。
【００６０】
また、図４および図１８に示すように、樹脂シート２２−１が、電池収納領域１１の周方向の全周に亘って形成された枠形状を呈する場合、蓋部２０が、枠形状の樹脂シート２２−１の内周面２２−１ａに当接する複数の規定部２６を備えることで封止部材２３の位置をより正確に規定することができる。また、枠形状の樹脂シート２２−１を用いることで、電池３０とカバー本体２１との距離を縮めることができ、特に電池の厚み方向において携帯電話機１の小型化を図ることができる。
【００６１】
また、蓋部２０が、枠形状の樹脂シート２２−１の内周面２２−１ａに当接する複数の規定部２６と、樹脂シート２２の外周面２２−１ｂに当接する複数の規定部２７と、を備えることで、封止部材２３の位置をより一層正確に規定することができる。
【００６２】
また、本実施の形態では、防水領域が電池収納部１１であるため、上述の蓋部（防水カバー）２０によって、携帯型電子機器１の小型化を図ることができると共に電池収納部１１の止水性能を確保することができる。
【符号の説明】
【００６３】
１      携帯電話機
１０      本体部
１１      電池収納部
１２      平面部
２０      蓋部
２１      カバー本体
２１ａ      左壁面
２１ｂ      右壁面
２１ｃ      底壁面
２２      樹脂シート
２３      封止部材
２３ａ      封止ベース部
２３ｂ      突出部
２４      爪部一体型規定部
２４ａ，２４ｂ      爪部
２４ｃ      連結部
２４ｄ      規定面
２４ｅ      開口部
２５      壁面一体型規定部
２５ａ      開口側端部
２５ｂ      閉口側端部
２６，２７      規定部
３０      電池
【図１】
2012169068.tif 000003
【図２】
2012169068.tif 000004
【図３】
2012169068.tif 000005
【図４】
2012169068.tif 000006
【図５】
2012169068.tif 000007
【図６】
2012169068.tif 000008
【図７】
2012169068.tif 000009
【図８】
2012169068.tif 000010
【図９】
2012169068.tif 000011
【図１０】
2012169068.tif 000012
【図１１】
2012169068.tif 000013
【図１２】
2012169068.tif 000014
【図１３】
2012169068.tif 000015
【図１４】
2012169068.tif 000016
【図１５】
2012169068.tif 000017
【図１６】
2012169068.tif 000018
【図１７】
2012169068.tif 000019
【図１８】
2012169068.tif 000020
【図１９】
2012169068.tif 000021
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
防水領域を備える本体部と、前記防水領域を覆う蓋部と、を有する携帯型電子機器であって、
前記蓋部と前記本体部とのうち一方は、他方の同一面上に形成された接触面に対して前記防水領域の周方向の全周に亘って接触し該防水領域を封止する封止部材と、該封止部材の位置を規定する規定部と、を備える、
ことを特徴とする携帯型電子機器。
【請求項２】
前記蓋部は、前記封止部材と前記規定部とを備えることを特徴とする請求項１に記載の携帯型電子機器。
【請求項３】
前記蓋部は、前記本体部に係合する爪部を更に備え、
前記規定部は、前記爪部と一体に設けられている、
ことを特徴とする請求項２に記載の携帯型電子機器。
【請求項４】
前記規定部と前記爪部とは、４辺のうちの１辺が開口する断面矩形状に前記蓋部から突出する凸部に一体に設けられ、
前記規定部は、前記凸部の開口側の端部において前記封止部材の位置を規定し、
前記爪部は、前記開口側の端部とは反対側の閉口側の端部に設けられている、
ことを特徴とする請求項３に記載の携帯型電子機器。
【請求項５】
前記蓋部は、表面に前記封止部材が形成された樹脂シートを更に備えることを特徴とする請求項２に記載の携帯型電子機器。
【請求項６】
前記規定部は、前記樹脂シートに当接することで、前記封止部材の位置を規定することを特徴とする請求項５に記載の携帯型電子機器。
【請求項７】
携帯型電子機器の本体部の防水領域を覆う蓋部である防水カバーであって、
前記本体部の前記防水領域の周囲の同一面上に形成された接触面に対して前記防水領域の周方向の全周に亘って接触し、該防水領域を封止する封止部材と、
前記封止部材の位置を規定する規定部と、
を有することを特徴とする防水カバー。
【手続補正書】
【提出日】平成25年12月2日(2013.12.2)
【手続補正１】
【補正対象書類名】明細書
【補正対象項目名】００３４
【補正方法】変更
【補正の内容】
【００３４】
図９に示すように、爪部一体型規定部２４は、連結部２４−１ｃで連結された２つの爪部２４−１ａ（一方のみ図示）のそれぞれ（凸部）が、４辺のうちの１辺が開口する断面矩形状にカバー本体２１から突出する爪部一体型規定部２４−１であってもよい。この爪部一体型規定部２４−１は、開口部２４−１ｅ側の端部２４−１ｄにおいて樹脂シート２２に当接することで封止部材２３の位置を規定する。
【手続補正２】
【補正対象書類名】明細書
【補正対象項目名】００３５
【補正方法】変更
【補正の内容】
【００３５】
図１０に示すように、爪部一体型規定部２４は、連結部で連結されていない各凸部に爪部２４−２ａ（一方のみ図示）と規定面２４ｄとが一体に設けられた爪部一体型規定部２４−２であってもよい。爪部一体型規定部２４−２は、４辺のうちの１辺が開口する断面矩形状にカバー本体２１から突出し、開口部２４−２ｅ側の端部２４−２ｄにおいて樹脂シート２２に当接することで封止部材２３の位置を規定する。
【手続補正３】
【補正対象書類名】明細書
【補正対象項目名】００５２
【補正方法】変更
【補正の内容】
【００５２】
また、本実施の形態では、図９および図１０に示すように、爪部一体型規定部２４−１，２４−２（規定面２４−１ｄ，２４−２ｄ）と爪部２４−１ａ，２４−２ａとは、４辺のうちの１辺が開口する断面矩形状に蓋部２０から突出する凸部に一体に設けられている。また、規定部２４−１，２４−２（規定面２４−１ｄ，２４−２ｄ）は、凸部の開口部２４−１ｅ，２４−２ｅ側の端部２４−１ｄ，２４−２ｄにおいて封止部材２３の位置を規定する。更には、爪部２４−１ａ，２４−２ａは、開口側の端部２４−１ｄ，２４−２ｄとは反対側の閉口側の端部に設けられている。そのため、簡素な構成で封止部材２３の位置をより正確に規定することができる。
【手続補正４】
【補正対象書類名】明細書
【補正対象項目名】００５９
【補正方法】変更
【補正の内容】
【００５９】
また、本実施の形態では、規定部２４〜２７は、樹脂シート２２に当接することで、封止部材２３の位置を規定する。そのため、封止部材２３の位置をより正確に規定することができる。
【国際調査報告】
2012169068.tif 000022
2012169068.tif 000023
2012169068.tif 000024
2012169068.tif 000025